(57)【要約】【課題】衣類用ハンガーに掛けられる衣類の体形やサイズに係る表示を遠くからでも見易いように大きく表示したり又はサイズ表示に限定されることなく衣類の簡単な説明や広告案等を表示可能な表示ラベルを提供する。【解決手段】帯状紙片４の中心部に設けられたハンガーの吊下用フックを通すための挿通孔５と、挿通孔５を中心とする帯状紙片４の何れか一方側又は両側に設けられ、衣類用ハンガーに掛けられる衣類のサイズを表示する表示部６と、帯状紙片４の表示部６側の一端に設けられた掛止部７と、掛止部７の先端の差し込み部７１と、帯状紙片４の挿通孔５を中心として表示部６と対称をなす部分に設けられた表示部６と同形の合わせ部７２と、切り取りにより形成された合わせ部７２内の受入れ部７３と、から構成される。【選択図】図１
0003107978.tif 000002
【実用新案登録請求の範囲】
【請求項１】
衣類用ハンガーに装着されて使用される表示ラベルであって、
帯状紙片の中心部に設けられた前記ハンガーの吊下用フックを通すための挿通孔と、
前記挿通孔を中心に前記帯状紙片の何れか一方の側に設けられ、衣類用ハンガーに掛けられる衣類のサイズ、広告、案内等の表示を、前記挿通孔を上側にして記載表示した表示部と、
前記表示部と前記挿通孔を中心にして対称をなす位置に設けられた前記表示部と同形または略同形の合わせ部と、
前記合わせ部の領域内に切り込みによって形成された受入れ部と、
前記帯状紙片の一端に設けられ、前記衣類用ハンガーに装着される際に前記受入れ部に挿通される差し込み部と、
から構成されたことを特徴とするハンガー用表示ラベル。
【請求項２】
前記帯状紙片の形状は、前記挿通孔を中心に対称または略対称である請求項１に記載のハンガー用表示ラベル。
【請求項３】
前記挿通孔は、前記吊下用フックを挿通するための穿孔穴又は切込みである請求項１または請求項２に記載のハンガー用表示ラベル。
【請求項４】
衣類用ハンガーに装着されて使用される表示ラベルであって、
帯状紙片の中心部に設けられた前記ハンガーの吊下用フックを通すための切込み部と、
前記切込みを中心に前記帯状紙片の何れか一方の側に設けられ、広告、案内等の表示を、前記切込みを上側にして記載表示した表示部と、
前記表示部と前記挿通孔を中心にして対称をなす位置に設けられた前記表示部と同形または略同形の合わせ部と、
前記合わせ部の領域内に切り込みによって形成された受入れ部と、
前記帯状紙片の一端に設けられ、前記衣類用ハンガーに装着される際に前記受入れ部に挿通される差し込み部と、から構成され、
前記切込み部は、前記ハンガーに掛けられる衣類のサイズ表示を有し、前記ハンガーの吊下用フックにより引き起こされた状態でサイズ表示を行なうように形成されたことを特徴とすることを特徴とするハンガー用表示ラベル。
【請求項５】
前記帯状紙片の形状は、前記挿通孔を中心に対称または略対称である請求項４に記載のハンガー用表示ラベル。
【請求項６】
衣類用ハンガーに装着されて使用される表示ラベルであって、
帯状紙片の端部に設けられ、広告、案内等の表示を、前記帯状紙片の一端を上側にして記載表示した表示部と、
前記帯状紙片の中央部または略中央部に首型の形状として形成された掛止部と、
前記帯状紙片の他方の端部に設けられ、前記衣類用ハンガーに装着される際に前記掛止部が挿通される受入れ部と、
から構成されたことを特徴とするハンガー用表示ラベル。
【請求項７】
前記受入れ部は、先端が開いたリング部分を有し、前記衣類用ハンガーに装着される際に、前記掛止部が前記リング部分のリング内に挿通されることを特徴とする請求項６に記載のハンガー用表示ラベル。
【請求項８】
衣類用ハンガーに装着されて使用される表示ラベルであって、
略矩形の帯状紙片の上辺の両端付近に、前記上辺と傾斜を有して設けられた切り線部と、
前記帯状紙片の中央付近に設けられ、広告、案内等の表示を、前記切り線部を上側にして記載表示した表示部と、
前記切り線部と前記表示部との中間付近に設けられた前記ハンガーの吊下用フックを通すための挿通孔と、
前記帯状紙片の下辺の両端に設けられ、前記衣類用ハンガーに装着される際に前記切り線部に挿通される鉤形または楔形の差し込み部と、
から構成されたことを特徴とするハンガー用表示ラベル。
【請求項９】
衣類用ハンガーに装着されて使用される表示ラベルであって、
略矩形の帯状紙片の上辺の両端付近に、前記上辺と平行に設けられた切り線部と、
前記帯状紙片の中央付近に設けられ、広告、案内等の表示を、前記切り線部を上側にして記載表示した表示部と、
前記切り線部と前記表示部との中間付近に設けられた前記ハンガーの吊下用フックを通すための挿通孔と、
前記帯状紙片の下辺に突き出す状態で２箇所設けられ、前記衣類用ハンガーに装着される際に前記切り線部に挿通される鉤形または楔形の差し込み部と、
から構成されたことを特徴とするハンガー用表示ラベル。
【請求項１０】
衣類用ハンガーに装着されて使用される表示ラベルであって、
略矩形の帯状紙片の上辺の両端付近に設けられた受入れ部と、
前記帯状紙片の中央付近に設けられ、広告、案内等の表示を、前記受入れ部を上側にして記載表示した表示部と、
前記受入れ部と前記表示部との中間付近に設けられた前記ハンガーの吊下用フックを通すための切込み部と、
前記帯状紙片の下辺に突き出す状態で２箇所設けられ、前記衣類用ハンガーに装着される際に前記切り線部に挿通される楔形または鉤形の差し込み部と、から構成され、
前記切込み部は、前記ハンガーに掛けられる衣類のサイズ表示を有し、前記ハンガーの吊下用フックにより引き起こされた状態でサイズ表示を行なうように形成されたことを特徴とすることを特徴とするハンガー用表示ラベル。
【考案の詳細な説明】
【技術分野】
【０００１】
本考案は、衣類小売店舗等の衣類販売現場で使用されるハンガー用表示ラベル及び当該表示ラベルを装着した衣類用ハンガーに関する。
【背景技術】
【０００２】
衣料小売店舗等で使用される衣類用ハンガーには、そのハンガーに掛けられる衣類のサイズを表示するサイズ表示用リングが使用されている。
【０００３】
図１７は、衣料小売店等の販売現場で使用されるハンガーに、このようなサイズ表示用リングが装着された例を示す。図１７に示すように、衣類用ハンガーは、多くの場合、成型されたプラスチック素材のハンガー本体部１と、このハンガー主体部の中心部に取り付けされた吊下用フック２とから構成される。そして、この吊下用フック２にサイズ表示用リング３が挿通されることにより、このハンガーに掛けられる衣類のサイズを表示する。
【０００４】
このようなサイズ表示用リング３は、主にプラスチック製で、Ａ体（標準体）、Ｂ体（太め体）、Ｙ体（痩身体）、ＡＢ体（やや太め体）の体形別又はサイズ別に色分けされ、体形及びサイズを表示するＡ４、Ａ５、Ａ６や、サイズのみを表示するＬ、Ｍ、Ｓ等に刻印表示して使用されている。
【考案の開示】
【考案が解決しようとする課題】
【０００５】
しかしながら、このようなサイズ表示用リング３は、その表示文字が小さいことから、遠くからの視認が困難であり、衣類の体形やサイズを表示するのみで当該衣類の説明や店舗の広告又は案内等の表示をすることはできない。
【０００６】
また、このようなサイズ表示用リング３は、吊下用フック２に挿通されておりハンガー本体１自体に係止されていないことから、消費者がハンガーに掛けてある衣料品を試着等する際に落下してしまうことがあった。
【０００７】
さらに、このようなサイズ表示用リング３はプラスチック製であるため、廃棄する際、紙類等の塵とは区分して廃棄する必要があった。また、個人的には製造することができないので、専門の業者に発注せざるを得なかった。
【課題を解決するための手段】
【０００８】
本願は、このような従来のサイズ表示用リングに替わって、又はこのようなサイズ表示用リングと共に使用される衣類ハンガー用ラベルに係るものであって、その第１の形態として、衣類用ハンガーに装着されて使用される表示ラベルであって、帯状紙片の中心部に設けられた前記ハンガーの吊下用フックを通すための挿通孔と、前記挿通孔を中心に前記帯状紙片の何れか一方の側に設けられ、衣類用ハンガーに掛けられる衣類のサイズ、広告、案内等の表示を、前記挿通孔を上側にして記載表示した表示部と、前記表示部と前記挿通孔を中心にして対称をなす位置に設けられた前記表示部と同形または略同形の合わせ部と、前記合わせ部の領域内に切り込みによって形成された受入れ部と、前記帯状紙片の一端に設けられ、前記衣類用ハンガーに装着される際に前記受入れ部に挿通される差し込み部とから構成されたことを特徴とするハンガー用表示ラベルを提供するものである。
【０００９】
これによって、衣類用ハンガーに掛けられる衣類の体形やサイズに係る表示を遠くからでも見易いように大きく表示すると共に、衣類の体形やサイズに係る表示のみに限定されることなく、当該衣類の簡単な説明や当該店舗のキャッチフレーズ等の広告又は案内を記載して表示することを可能にしたのである。
【００１０】
そして、本表示用ラベルは、装着時に、帯状紙片の中心部の挿通孔が吊下用フックに挿通され、帯状紙片の両側の掛止部がハンガー本体を挟んで折り曲げられ、帯状紙片の先端の差し込み部が合わせ部の受入れ部に挿通される。これにより、本表示ラベル全体が、ハンガー本体１にしっかりと係止されるので、容易に外れて落下することがないのである。
【００１１】
ここで、前記帯状紙片の形状は、前記挿通孔を中心に対称である。そして、前記挿通孔は、吊下用フックを挿通するための穿孔穴又は切込みである。
【００１２】
本願は、また、その第２の形態として、衣類用ハンガーに装着されて使用される表示ラベルであって、帯状紙片の中心部に設けられた前記ハンガーの吊下用フックを通すための切込み部と、前記切込みを中心に前記帯状紙片の何れか一方の側両側に設けられ、広告、案内等の表示を、前記切込みを上側にして記載表示した表示部と、前記表示部と前記挿通孔を中心にして対称をなす位置に設けられた前記表示部と同形または略同形の合わせ部と、前記合わせ部の領域内に切り込みによって形成された受入れ部と、前記帯状紙片の一端に設けられ、前記衣類用ハンガーに装着される際に前記受入れ部に挿通される差し込み部とから構成されたことを特徴とするハンガー用表示ラベルを提供するものである。
【００１３】
前記切込み部は、前記ハンガーに掛けられる衣類のサイズ表示を有し、前記ハンガーの吊下用フックにより引き起こされた状態でサイズ表示を行なうように形成されているので、前記差し込み部は、前記衣類用ハンガーの吊下用フックにより引き起こされた状態でのサイズ表示が可能となる。ここで、前記帯状紙片の形状は、前記挿通孔を中心に対称である。そして、前記切込み部は、吊下用フックを挿通するための穿孔穴又は切込みを有する。
【００１４】
本願は、また、その第３の形態として、衣類用ハンガーに装着されて使用される表示ラベルであって、帯状紙片の端部に設けられ、広告、案内等の表示を、前記帯状紙片の一端を上側にして記載表示した表示部と、前記帯状紙片の中央部または略中央部に首型の形状として形成された掛止部と、前記帯状紙片の他方の端部に設けられ、前記衣類用ハンガーに装着される際に前記掛止部が挿通される受入れ部とから構成されたことを特徴とするハンガー用表示ラベルを提供するものである。
【００１５】
ここで、前記受入れ部は、先端が開いたリング部分を有し、前記衣類用ハンガーに装着される際に、前記掛止部が前記リング部分のリング内に挿通される。
これにより、装着時に、前記帯状紙片は、前記ハンガーの吊下用フックを上に突き出した状態で前記衣類用ハンガーの本体部分を包み込み、前記掛止部が前記リング部分のリング内に挿通されることにより、ハンガー用表示ラベルは、前記衣類用ハンガーにしっかりと装着される。
【００１６】
本願は、また、その第４の形態として、衣類用ハンガーに装着されて使用される表示ラベルであって、略矩形の帯状紙片の上辺の両端付近に、前記上辺と傾斜を有して設けられた切り線部と、前記帯状紙片の中央付近に設けられ、広告、案内等の表示を、前記切り線部を上側にして記載表示した表示部と、前記切り線部と前記表示部との中間付近に設けられた前記ハンガーの吊下用フックを通すための挿通孔と、前記帯状紙片の下辺の両端に設けられ、前記衣類用ハンガーに装着される際に前記切り線部に挿通される鉤形または楔形の差し込み部とから構成されたことを特徴とするハンガー用表示ラベルを提供するものである。
【００１７】
これにより、表示部の長さを衣類用ハンガーの本体の長さ近くまで引き延ばし、衣類用ハンガーに掛けられる衣類の体形やサイズに係る表示を遠くからでも見易いように一層大きく表示できると共に、衣類の体形やサイズに係る表示のみに限定されることなく、当該衣類の簡単な説明や当該店舗のキャッチフレーズ等の広告又は案内を記載して表示することを可能にしたのである。
【００１８】
本願は、また、その第５の形態として、衣類用ハンガーに装着されて使用される表示ラベルであって、略矩形の帯状紙片の上辺の両端付近に、前記上辺と平行に設けられた切り線部と、前記帯状紙片の中央付近に設けられ、広告、案内等の表示を、前記切り線部を上側にして記載表示した表示部と、前記切り線部と前記表示部との中間付近に設けられた前記ハンガーの吊下用フックを通すための挿通孔と、前記帯状紙片の下辺に突き出す状態で２箇所設けられ、前記衣類用ハンガーに装着される際に前記切り線部に挿通される鉤形または楔形の差し込み部とから構成されたことを特徴とするハンガー用表示ラベルを提供するものである。
【００１９】
本願は、また、その第６の形態として、衣類用ハンガーに装着されて使用される表示ラベルであって、略矩形の帯状紙片の上辺の両端付近に設けられた受入れ部と、前記帯状紙片の中央付近に設けられ、広告、案内等の表示を、前記受入れ部を上側にして記載表示した表示部と、前記受入れ部と前記表示部との中間付近に設けられた前記ハンガーの吊下用フックを通すための切込み部と、前記帯状紙片の下辺に突き出す状態で２箇所設けられ、前記衣類用ハンガーに装着される際に前記切り線部に挿通される楔形または鉤形の差し込み部と、から構成され、前記切込み部は、前記ハンガーに掛けられる衣類のサイズ表示を有し、前記ハンガーの吊下用フックにより引き起こされた状態でサイズ表示を行なうように形成されたことを特徴とすることを特徴とするハンガー用表示ラベルを提供するものである。
【考案の効果】
【００２０】
このように、本考案に係るハンガー表示用ラベルは、ハンガーに掛けられる衣類の体形やサイズに係る表示を遠くからでも見易いように大きく表示すると共に衣類の体形やサイズに係る表示のみに限定されることなく当該衣類の簡単な説明や当該店舗のキャッチフレーズ等の広告又は案内を記載表示することを可能にしたのである。
【００２１】
また、本ハンガー表示用ラベルは、ハンガーへの装着や脱着が容易である一方、衣類の試着等の際に装着したハンガーから容易に落下しない。さらに、素材がプラスチックではなく紙で形成することが可能であることから従来のサイズ表示用リングよりも安価であり、廃棄の際に紙屑と一緒に廃棄できる。さらに、本ハンガー表示用ラベルは、任意の形状を有する衣類用ハンガーに対して装着することができる。
【考案を実施するための最良の形態】
【００２２】
以下、本考案に係るハンガー用表示ラベルの詳細を図面を参照しつつ説明する。
【実施例１】
【００２３】
図１は、本考案の実施例１に係るハンガー表示用ラベルの第１の例を示す。
図１に示す実施例１の第１の例は、ハンガーに掛けられる衣類のサイズを表示するものであって、帯状紙片４の中心部に設けられたハンガーの吊下用フックを通すための挿通孔５と、挿通孔５を中心とする帯状紙片４の何れか一方側に設けられ、衣類用ハンガーに掛けられる衣類のサイズを表示する表示部６と、帯状紙片４の表示部６側の一端に設けられた掛止部７と、から構成される。
【００２４】
表示部６側に設けられた掛止部７の先端には差し込み部７１を備える。また、帯状紙片４の挿通孔５を中心として表示部６と対称をなす部分には、表示部６と同形または略同形の合わせ部７２を備え、合わせ部７２には切り取りにより形成された受入れ部７３を備える。そして、この合わせ部７２には、前記表示部６に記載された表示と同一又は異なる表示を行なうようにしても良い。
【００２５】
この第１の例における挿通孔５は、図示のように十字の切込み又は切り抜きによって形成される。表示部６の形状は、本例のような楕円形とは限らず、他の任意の形状が可能である。表示部６には、衣類の体形やサイズの表示のみではなく、当該衣類の説明や店舗の広告又は案内等の表示を記載することも可能である。
また、合わせ部７２にも、受入れ部７２を除く領域に、表示部６と同様の記載が可能である。
【００２６】
図２は、本考案の実施例１に係る第１の例のハンガー表示用ラベルの装着状態を示す外観図である。図２に示すように、本考案に係るハンガー用表示ラベルは、装着時に、帯状紙片４の中心部の挿通孔５が吊下用フック２に挿通され、帯状紙片４の両側の掛止部７がハンガー本体１を挟んで折り曲げられ、帯状紙片４の先端の差し込み部７１が合わせ部７２の受入れ部７２に挿通される。これにより、本表示ラベル全体が、ハンガー本体１にしっかりと係止されるので、容易に外れて落下するようなことはなくなる。このため、本表示ラベルに使用される帯状紙片４は、通常のコピー用印刷紙等でも良いが、なるべく厚手の用紙のほうがその係止性には優れる。ところで、上記した合わせ部７２には、前記表示部６に記載された表示と同一又は異なる表示を行なうようにしても良い。尚、図２は、帯状紙片４の先端の差し込み部７１が手前側となり、表示部６が向こう側に隠れている姿勢での装着状態を示している。
【００２７】
図１に示すように、帯状紙片４の形状は、挿通孔５を中心に左右及び上下において対称であるが、略対称であってもよいものとする。また、表示部６の表示記載は、挿通孔５を上側に記載されている。これによって、図２に示すように、本表示ラベルを装着したハンガーは、本表示ラベルを表示する帯状紙片４がハンガー本体１にしっかりと係止されると共に、表示部６が設置されている側から本表示ラベルの表示を視認することができるのである。
【００２８】
図３は、本考案の実施例１に係るハンガー表示用ラベルの第２の例を示す。図３に示す実施例１の第２の例は、第１の例の挿通孔５の代わりに、蒲鉾型の周囲の一部に切り込み線を有する切込み８を備える構成となっている。この切り込み線は、蒲鉾型の台座部分を残す残りの周囲全てに入れられており、切込み８は、この台座部分を折り目にして帯状紙片４の紙面に垂直に立てることができる。切込み８の蒲鉾型部分には任意の図柄や文言の記載が可能であり、この例では、切込み８は衣類のサイズを表示している。切込み８の形状は、本例のような蒲鉾型とは限らず、矩形や三角形等も可能である。
【００２９】
図４は、本考案の実施例１に係る第２の例のハンガー表示用ラベルの装着状態を示す外観図であり、帯状紙片４の表示部６が手前側となる状態を示す。同図に示すように、切込み８は台座部分を折り目にして帯状紙片４の紙面に垂直に立てられ、その跡部の挿通孔には吊下用フック２が挿通される。
【００３０】
図５は、本考案の実施例１に係るハンガー表示用ラベルの第３の例を示す。図５に示す例では、帯状紙片の中心部に設けられた前記ハンガーの吊下用フックを通すための切込み８を、先に記載した第２の例の切込み８と比較してかなり大きくしている。そして、第２の例と同様に、この切込み８にサイズ表示を行なうようにしている。このため、切込み８は、その中心側の周縁が切断されており、ハンガー１の吊下用フック２が挿入されるとこの切込み８が立つことによりサイズ表示を行なうこととなる。その他の構成要素は、前述した第２の例に係るハンガー表示用ラベルと同じである。
【００３１】
図６は、本考案の実施例１に係る第３の例のハンガー表示用ラベルの装着状態を示す。図６に示すように、ハンガー１の吊下用フック２が挿入されることにより切込み部８が立つことにより、サイズ表示を行なう。
【実施例２】
【００３２】
図７は、本考案の実施例２に係るハンガー表示用ラベルの例を示す。図７に示す本考案の実施例２は、ハンガーに掛けられる衣服のサイズを表示すものであって、帯状紙片４０の端部に記載表示された表示部２６と、帯状紙片４０の中央部に設けられた掛止部２７と、帯状紙片４０の他端に、先端が開いたリングとして形成された受入れ部２７１と、から構成される。
【００３３】
掛止部２７は、帯状紙片４０の中央部または略中央部に首型の形状で構成されており、この首型の部分には受入れ部２７１の中心にあるリング部分を通すことが可能である。表示部２６には、衣類の体形やサイズの表示のみではなく、当該衣類の説明や店舗の広告又は案内等の表示を記載することが可能である。
【００３４】
図８は、本考案の実施例２に係るハンガー表示用ラベルの装着状態を示すものであり、表示部を手前側に見た外観図を示す。また、図９は、本考案の実施例２に係るハンガー表示用ラベルの装着状態を示すものであり、表示部の反対側から見た外観図を示す。本実施例２に係る表示用ラベルは、図８、９に示すように、表示部２６を表側にしてハンガー本体１を包み込み、かつ吊下用フック２を外に出す状態で、掛止部２７を筒状に巻くと共に、表示部２６の根元の首型の部分を、受入れ部２７１の中心部分の円孤に通すことによってハンガーに装着される。
【実施例３】
【００３５】
図１０は、本考案の実施例３に係るハンガー表示用ラベルの第１の例を示す。図１０に示す本考案の実施例３の第１の例は、略矩形の帯状紙片５０の中央付近に設けられ、衣類用ハンガーに掛けられる衣類のサイズを表示する表示部３６と、ハンガーの吊下用フックを通すための挿通孔５２と、帯状紙片５０の下辺の両端に設けられた差し込み部５１と、差し込み部５１を装通するための切り込みを有する切り線部５３と、から構成される。
【００３６】
表示部３６には、衣類の体形やサイズの表示のみではなく、当該衣類の説明や店舗の広告又は案内等の表示を記載することが可能である。ここで、帯状紙片５０は、略矩形の形状を有する。また、切り線部５３の切り線は、帯状紙片５０の平面上で、真横（水平）ではなく、斜めに切り込まれている（即ち、帯状紙片５０の上辺と傾斜を有する）。差し込み部５１は、切り線部５３に挿通された後の時点での挿通戻しを防ぐために、本例では先端を鉤形（フック状）に形成しているが、他に楔形も可能である。
挿通孔５２は、切り線部５３と表示部３６との中間付近に設けられている。
【００３７】
図１１は、本考案の実施例３の第１の例に係るハンガー表示用ラベルの装着状態を示すものであり、表示部の反対側から見た外観図を示す。
本考案の実施例３の第１の例に係るハンガー表示用ラベルは、図１１に示すように、表示部３６を表側にしてハンガー本体１を包み込み、かつ吊下用フック２を挿通孔５２を通して外に出す状態で、帯状紙片５０の全体を折り曲げると共に、差し込み部５１を切り線部５３に挿通することによってハンガーに装着される。
【００３８】
図１２は、本考案の実施例３に係るハンガー表示用ラベルの第２の例を示す。図１２に示す本考案の実施例３の第２の例は、第１の例と同じ表示部３６及び挿通孔５２と、帯状紙片６０の下辺に２箇所設けられた差し込み部６１と、差し込み部６１を装通するための切り込みを有する切り線部６３と、から構成される。
【００３９】
帯状紙片６０は、略矩形の形状を有する。ここで、切り線部６３の切り線は、帯状紙片６０の平面上で、真横（水平）に切り込まれている（即ち、帯状紙片５０の上辺と平行である）。また、差し込み部６１は、切り線部５３に挿通された後の時点での挿通戻しを防ぐために、本例では先端を鉤形（フック状）に形成しているが、他に楔形も可能である。
【００４０】
図１３は、本考案の実施例３の第２の例に係るハンガー表示用ラベルの装着状態を示すものであり、表示部の反対側から見た外観図を示す。
本考案の実施例３の第２の例に係るハンガー表示用ラベルは、図１３に示すように、表示部３６を表側にしてハンガー本体１を包み込み、かつ吊下用フック２を挿通孔５２を通して外に出す状態で、帯状紙片６０の全体を折り曲げると共に、差し込み部６１を切り線部６３に挿通することによってハンガーに装着される。
【００４１】
図１４は、本考案の実施例３に係るハンガー表示用ラベルの第３の例を示す。図１４に示す本考案の実施例３の第３の例は、前述した第１の例と同じ表示部３６及び挿通孔５２と、蒲鉾型の周囲の一部に切り込み線を有する切込み７２と、帯状紙片７０の下辺に突き出して２箇所設けられた差し込み部８１と、差し込み部８１を装通するための受入れ部７３と、から構成される。帯状紙片７０は、略矩形の形状を有するが、図１４に示す上側の形状がなだらかな曲線を形成するように形成されている。これにより、差し込み部８１を受入れ部７３に挿通する際にラベルの一方の角部が折り曲げた他方の角部と引っ掛かかることなく、差し込み部８１による受入れ部７３への挿通をスムースにしている。また、差し込み部８１は、受入れ部７３に挿通された後の時点での挿通戻しを防ぐために、本例では先端を楔形に形成しているが、他に鉤形も可能である。
【００４２】
図１４に示す実施例３の第３の例は、第１の例の挿通孔５２の代わりに、蒲鉾型の周囲の一部に切り込み線を有する切込み７２を備える構成となっている。この切り込み線は、蒲鉾型の台座部分を残す残りの周囲全てに入れられており、切込み７２は、この台座部分を折り目にして帯状紙片７０の紙面に垂直に立てることができる。切込み７２の蒲鉾型部分には、任意の図柄や文言の記載が可能であり、この例では、切込み７２は衣類のサイズを表示している。この切込み７２の形状は、本例のような蒲鉾型とは限らず、矩形や三角形等も可能である。
【００４３】
図１５は、本考案の実施例３の第３の例に係るハンガー表示用ラベルの装着状態を示すものであり、表示部を手前側に見た外観図を示す。
【００４４】
図１６は、本考案の実施例３の第３の例に係るハンガー表示用ラベルの装着状態を示すものであり、表示部を向こう側に見た外観図を示す。
【００４５】
本考案の実施例３の第３の例に係るハンガー表示用ラベルは、図１５、１６に示すように、表示部３６を表側にしてハンガー本体１を包み込み、かつ吊下用フック２を切込み７２の蒲鉾型の挿通孔を通して外に出す状態で、帯状紙片７０の全体を折り曲げると共に、差し込み部８１を受入れ部７３に挿通することによってハンガーに装着される。
【００４６】
本考案のハンガー用表示ラベルは、表示部の記載表示が、衣類の体形やサイズに係る表示のみに限定されることなく、当該衣類の簡単な説明や当該店舗のキャッチフレーズ等の広告又は案内を記載表示することができる。
【産業上の利用可能性】
【００４７】
本考案は、衣類小売店舗等の衣類販売現場で使用されるハンガー用表示ラベル及び当該表示ラベルを装着した衣類用ハンガーに関するものであり、産業上の利用可能性を有する。
【図面の簡単な説明】
【００４８】
【図１】本考案の実施例１に係るハンガー表示用ラベルの第１の例を示す。
【図２】本考案の実施例１に係る第１の例のハンガー表示用ラベルの装着状態を示す外観図である。
【図３】本考案の実施例１に係るハンガー表示用ラベルの第２の例を示す。
【図４】本考案の実施例１に係る第２の例のハンガー表示用ラベルの装着状態を示す外観図である。
【図５】本考案の実施例１に係るハンガー表示用ラベルの第３の例を示す。
【図６】本考案の実施例１に係る第３の例のハンガー表示用ラベルの装着状態を示す外観図である。
【図７】本考案の実施例２に係るハンガー表示用ラベルの例を示す。
【図８】本考案の実施例２に係るハンガー表示用ラベルの装着状態を示すものであり、表示部を手前側に見た外観図を示す。
【図９】本考案の実施例２に係るハンガー表示用ラベルの装着状態を示すものであり、表示部の反対側から見た外観図を示す。
【図１０】本考案の実施例３に係るハンガー表示用ラベルの第１の例を示す。
【図１１】本考案の実施例３の第１の例に係るハンガー表示用ラベルの装着状態を示すものであり、表示部の反対側から見た外観図を示す。
【図１２】本考案の実施例３に係るハンガー表示用ラベルの第２の例を示す。
【図１３】本考案の実施例３の第２の例に係るハンガー表示用ラベルの装着状態を示すものであり、表示部の反対側から見た外観図を示す。
【図１４】本考案の実施例３に係るハンガー表示用ラベルの第３の例を示す。
【図１５】本考案の実施例３の第３の例に係るハンガー表示用ラベルの装着状態を示すものであり、表示部を手前側に見た外観図を示す。
【図１６】本考案の実施例３の第２の例に係るハンガー表示用ラベルの装着状態を示すものであり、表示部の反対側から見た外観図を示す。
【図１７】従来から使用されているサイズ表示用リングを装着した衣類用ハンガーの例を示す。
【符号の説明】
【００４９】
１：ハンガー本体部
２：吊下用フック
３：サイズ表示用リング
４、４０、５０、６０、７０：帯状紙片
５、５２：挿通孔
６、２６、３６：表示部
７、２７：掛止部
８、７２：切込み
９：サイズ表示部
５３、６３：切り線部
５１、６１、７１、８１：差し込み部
７２：合わせ部
７３、２７１：受入れ部
【図１】
0003107978.tif 000003
【図２】
0003107978.tif 000004
【図３】
0003107978.tif 000005
【図４】
0003107978.tif 000006
【図５】
0003107978.tif 000007
【図６】
0003107978.tif 000008
【図７】
0003107978.tif 000009
【図８】
0003107978.tif 000010
【図９】
0003107978.tif 000011
【図１０】
0003107978.tif 000012
【図１１】
0003107978.tif 000013
【図１２】
0003107978.tif 000014
【図１３】
0003107978.tif 000015
【図１４】
0003107978.tif 000016
【図１５】
0003107978.tif 000017
【図１６】
0003107978.tif 000018
【図１７】
0003107978.tif 000019